(57)【要約】  複数の操作領域が拡張された複数の拡張操作領域の各々が重なり合う場合であっても、入力される操作の認識精度を向上させる入力制御装置の提供を目的とする。入力制御装置は、表示装置が有する表示領域に操作を受け付ける複数の操作領域と複数の操作領域に対応する拡張された複数の拡張操作領域とが設けられており、複数の拡張操作領域に入力装置を介して入力される操作に基づいて、複数の拡張操作領域を制御する入力制御装置である。入力制御装置は、複数の拡張操作領域の各々の一部が互いに重なり合う重畳領域に対して入力される操作を検知する操作検知部と、予め定められた優先条件に基づき、重畳領域を有する複数の拡張操作領域のうち、操作を受け付ける一の拡張操作領域を選定し、複数の操作領域のうち一の拡張操作領域に対応する一の操作領域が操作を受け付けるよう複数の拡張操作領域を制御する操作領域制御部と、を含む。
2019239450.tif 000002
【特許請求の範囲】
【請求項１】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御装置であって、
前記複数の拡張操作領域の各々の一部が互いに重なり合う少なくとも１つの重畳領域に対して入力される前記操作を検知する操作検知部と、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御する操作領域制御部と、を備える入力制御装置。
【請求項２】
前記予め定められた優先条件とは、
前記複数の操作領域のうち、他の操作領域の面積よりも小さい面積を有する操作領域に対応する拡張操作領域を、前記一の拡張操作領域として優先的に選定することである請求項１に記載の入力制御装置。
【請求項３】
前記少なくとも１つの重畳領域に対して入力される前記操作は、前記複数の拡張操作領域に対して車両に設けられた前記入力装置を介して前記車両の運転手と前記車両の搭乗者とによって同時に入力される複数の操作のうちの一の操作であり、
前記操作検知部は、前記運転手と前記搭乗者とによる前記複数の操作に関する情報を取得し、前記情報に基づき、前記複数の操作のうち前記運転手による前記一の操作を、前記少なくとも１つの重畳領域に対して入力される前記操作として優先的に検知する請求項１に記載の入力制御装置。
【請求項４】
前記予め定められた優先条件とは、
前記複数の拡張操作領域のうち、他の拡張操作領域の特定の方向における長さと前記他の拡張操作領域に対応する他の操作領域の前記特定の方向における長さとの差である拡張幅よりも大きい拡張幅で拡張される拡張操作領域を、前記一の拡張操作領域として優先的に選定することである請求項１に記載の入力制御装置。
【請求項５】
前記予め定められた優先条件とは、
前記複数の拡張操作領域のうち、他の拡張操作領域の特定の方向における長さと前記他の拡張操作領域に対応する他の操作領域の前記特定の方向における長さとの比率である拡張率よりも大きい拡張率で拡張される拡張操作領域を、前記一の拡張操作領域として優先的に選定することである請求項１に記載の入力制御装置。
【請求項６】
前記予め定められた優先条件とは、
前記複数の操作領域のうち、他の操作領域が受け付ける前記操作の難易度よりも高い難易度を有する前記操作を受け付ける操作領域に対応する拡張操作領域を、前記一の拡張操作領域として優先的に選定することである請求項１に記載の入力制御装置。
【請求項７】
前記予め定められた優先条件とは、
各前記操作領域に対する操作頻度に関するデータを含むデータベースに基づき、前記複数の操作領域のうち、他の操作領域に対する操作頻度よりも高い前記操作頻度で操作される操作領域に対応する拡張操作領域を、前記一の拡張操作領域として優先的に選定することである請求項１に記載の入力制御装置。
【請求項８】
請求項１に記載の入力制御装置と、
前記入力装置と、を備える操作装置。
【請求項９】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御方法であって、
前記複数の拡張操作領域の各々の一部が互いに重なり合う少なくとも１つの重畳領域に対して入力される前記操作を検知し、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御する、入力制御方法。
【発明の詳細な説明】
【技術分野】
【０００１】
本発明は、入力制御装置、操作装置および入力制御方法に関する。
【背景技術】
【０００２】
入力装置を利用するユーザーの癖や失敗等が記録された操作履歴に基づき、操作オブジェクトに対応する操作領域を拡張して、入力装置の操作性を向上させる技術が存在する（例えば、特許文献１参照）。【０００３】
特許文献１に記載の情報処理装置は、タッチ入力可能な操作オブジェクトに対して、アクティブユーザーに対応した操作補正値を適用したうえで入力操作を受け付ける。その情報処理装置によれば、アクティブユーザーの操作癖が配慮された操作が実現される。
【先行技術文献】
【特許文献】
【０００４】
【特許文献１】特開２０１５−０４９５６３号公報
【発明の概要】
【発明が解決しようとする課題】
【０００５】
複数の操作オブジェクトに対応する複数の操作領域が存在する場合、操作補正値によって補正された操作領域である拡張操作領域が互いに重なり合う可能性がある。その場合、ユーザーの操作に対する認識精度が低下する。その結果、ユーザーの意図に反する機能が実行され、ユーザーによる入力装置の操作性が低下する。【０００６】
本発明は、以上のような課題を解決するためになされたものであり、複数の操作領域が拡張された複数の拡張操作領域の各々が重なり合う場合であっても、入力される操作の認識精度を向上させる入力制御装置の提供を目的とする。
【課題を解決するための手段】
【０００７】
本発明に係る入力制御装置は、表示装置が有する表示領域に操作を受け付ける複数の操作領域と複数の操作領域に対応する拡張された複数の拡張操作領域とが設けられており、複数の拡張操作領域に入力装置を介して入力される操作に基づいて、複数の拡張操作領域を制御する入力制御装置である。入力制御装置は、複数の拡張操作領域の各々の一部が互いに重なり合う少なくとも１つの重畳領域に対して入力される操作を検知する操作検知部と、予め定められた優先条件に基づき、少なくとも１つの重畳領域を有する複数の拡張操作領域のうち、操作を受け付ける一の拡張操作領域を選定し、複数の操作領域のうち一の拡張操作領域に対応する一の操作領域が操作を受け付けるよう複数の拡張操作領域を制御する操作領域制御部と、を含む。
【発明の効果】
【０００８】
本発明によれば、複数の操作領域が拡張された複数の拡張操作領域の各々が重なり合う場合であっても、入力される操作の認識精度を向上させる入力制御装置の提供が可能である。【０００９】
本発明の目的、特徴、局面、および利点は、以下の詳細な説明と添付図面とによって、より明白になる。
【図面の簡単な説明】
【００１０】
【図１】実施の形態１における入力制御装置およびそれに関連して動作する装置の構成を示すブロック図である。
【図２】実施の形態１における入力制御装置が含む処理回路の一例を示す図である。
【図３】実施の形態１における入力制御装置が含む処理回路の一例を示す図である。
【図４】実施の形態１における入力制御装置の動作および入力制御方法を示すフローチャートである。
【図５】実施の形態２における入力制御装置、操作装置およびそれらに関連して動作する装置の構成を示すブロック図である。
【図６】実施の形態２における入力制御装置およびそれに関連して動作する装置のハードウェア構成を示す図である。
【図７】実施の形態２における操作領域および拡張操作領域の一例を示す図である。
【図８】実施の形態２における拡張操作領域の設定方法を示すフローチャートである。
【図９】実施の形態２における入力制御装置の動作および入力制御方法を示すフローチャートである。
【図１０】実施の形態２における操作領域および拡張操作領域の一例を示す図である。
【図１１】実施の形態２の変形例１における操作領域および拡張操作領域の一例を示す図である。
【図１２】実施の形態２の変形例２における操作領域および拡張操作領域の一例を示す図である。
【図１３】実施の形態２の変形例３における操作領域および拡張操作領域の一例を示す図である。
【図１４】実施の形態３における入力制御装置、操作装置およびそれらに関連して動作する装置の構成を示すブロック図である。
【図１５】実施の形態３における操作領域および拡張操作領域の一例を示す図である。
【図１６】実施の形態４における操作領域および拡張操作領域の一例を示す図である。
【図１７】実施の形態５における入力制御装置、操作装置およびそれらに関連して動作する装置の構成を示すブロック図である。
【図１８】実施の形態５における操作領域および拡張操作領域の一例を示す図である。
【図１９】実施の形態６における入力制御装置およびそれに関連して動作する装置の構成を示すブロック図である。
【発明を実施するための形態】
【００１１】
＜実施の形態１＞
（入力制御装置の構成）
図１は、実施の形態１における入力制御装置１００およびそれに関連して動作する装置の構成を示すブロック図である。
【００１２】
入力制御装置１００は、操作検知部１０および操作領域制御部２０を有する。また、図１には、入力制御装置１００と関連して動作する装置として、入力装置１１０が示されている。
【００１３】
入力装置１１０は、複数の操作領域または複数の拡張操作領域に対しユーザーが操作を入力するための装置である。複数の操作領域と複数の拡張操作領域とは、表示装置（図示せず）が有する表示領域に対して設定されている。複数の操作領域は、ユーザーによる操作を受け付ける領域である。複数の拡張操作領域は、複数の操作領域に対応して拡張された領域である。複数の操作領域の各々は、例えば、表示装置の表示領域におけるオブジェクトに対応して設定されており、操作領域が操作を受け付けることにより、そのオブジェクトに設定された機能が実行される。また、拡張操作領域が操作を受け付けることによっても、拡張操作領域に対応するオブジェクトに設定された機能が実行される。複数の拡張操作領域の各々は、例えば、ユーザーによる操作領域に対する誤操作またはユーザーによる操作の癖に基づき設定される。
【００１４】
入力装置１１０は、例えば、ポインティングデバイスである。ポインティングデバイスとは、例えば、タッチパネル（タッチスクリーン）、タッチパッド、スタイラス、マウス等である。または例えば、ポインティングデバイスとは、送信装置と受信装置とを含む無線ポインティングデバイスであってもよい。入力装置１１０がタッチパネルである場合、入力装置１１０と表示装置とは一体の装置であってもよい。
【００１５】
入力制御装置１００は、入力装置１１０に対して入力される操作に基づいて、複数の拡張操作領域を制御する。
【００１６】
操作検知部１０は、複数の拡張操作領域の各々の一部が互いに重なり合う少なくとも１つの重畳領域に対して入力される操作を検知する。
【００１７】
操作領域制御部２０は、予め定められた優先条件に基づき、少なくとも１つの重畳領域を有する複数の拡張操作領域のうち、その操作を受け付ける一の拡張操作領域を選定する。予め定められた優先条件とは、例えば、各操作領域の面積の大小関係、操作領域およびそれに対応する拡張操作領域のサイズの関係、各操作領域が受け付ける操作に含まれるジェスチャーの難易度、各操作領域の操作頻度などに基づく条件である。そして、操作領域制御部２０は、複数の操作領域のうち一の拡張操作領域に対応する一の操作領域が、操作検知部１０にて検知された操作を受け付けるよう複数の拡張操作領域を制御する。
【００１８】
入力制御装置１００によって制御された拡張操作領域が受け付けた操作は、例えば、情報処理装置等（図示せず）に出力される。情報処理装置は、操作領域制御部２０によって選定された一の拡張操作領域に対応する一の操作領域に対応付けられた機能を実行する。例えば、オブジェクトが設定されている場合は、情報処理装置は、そのオブジェクトに設定されている機能を実行する。その機能の実行の際、情報処理装置は、実行する機能に関連する表示を表示装置に表示させてもよい。入力制御装置１００、入力装置１１０、表示装置および情報処理装置は、例えば、カーナビゲーションシステムの一部を構成する装置である。ただし、それに限定されるものではない。
【００１９】
（処理回路）
図２は入力制御装置１００が含む処理回路９０の一例を示す図である。操作検知部１０および操作領域制御部２０の各機能は、処理回路９０により実現される。すなわち、処理回路９０は、操作検知部１０および操作領域制御部２０を含む。
【００２０】
処理回路９０が専用のハードウェアである場合、処理回路９０は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせた回路等である。操作検知部１０および操作領域制御部２０の各機能は、複数の処理回路により個別に実現されてもよいし、１つの処理回路によりまとめて実現されてもよい。
【００２１】
図３は入力制御装置１００が含む処理回路の別の一例を示す図である。処理回路は、プロセッサ９１とメモリ９２とを含む。プロセッサ９１がメモリ９２に格納されるプログラムを実行することにより、操作検知部１０および操作領域制御部２０の各機能が実現される。例えば、プログラムとして記述されたソフトウェアまたはファームウェアがプロセッサ９１により実行されることにより各機能が実現される。すなわち、入力制御装置は、プログラムを格納するメモリ９２と、そのプログラムを実行するプロセッサ９１とを含む。
【００２２】
プログラムには、入力制御装置が、複数の拡張操作領域の各々の一部が互いに重なり合う少なくとも１つの重畳領域に対して入力される操作を検知し、予め定められた優先条件に基づき、少なくとも１つの重畳領域を有する複数の拡張操作領域のうち、その操作を受け付ける一の拡張操作領域を選定し、複数の操作領域のうち一の拡張操作領域に対応する一の操作領域がその操作を受け付けるよう複数の拡張操作領域を制御する機能が記述されている。また、プログラムは、操作検知部１０および操作領域制御部２０の手順または方法をコンピュータに実行させるものである。
【００２３】
プロセッサ９１は、例えば、中央処理装置、処理装置、演算装置、マイクロプロセッサ、マイクロコンピュータ、ＤＳＰ（Digital Signal Processor）等である。メモリ９２は、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）等の、不揮発性または揮発性の半導体メモリである。または、メモリ９２は、磁気ディスク、フレキシブルディスク、光ディスク、コンパクトディスク、ミニディスク、ＤＶＤ等、今後使用されるあらゆる記憶媒体であってもよい。
【００２４】
上述した操作検知部１０および操作領域制御部２０の各機能は、一部が専用のハードウェアによって実現され、他の一部がソフトウェアまたはファームウェアにより実現されてもよい。このように、処理回路は、ハードウェア、ソフトウェア、ファームウェア、またはこれらの組み合わせによって、上述の各機能を実現する。
【００２５】
（入力制御方法）
図４は、実施の形態１における入力制御装置１００の動作および入力制御方法を示すフローチャートである。
【００２６】
ステップＳ１にて、操作検知部１０は、少なくとも１つの重畳領域に対して入力される操作を検知する。
【００２７】
ステップＳ２にて、操作領域制御部２０は、予め定められた優先条件に基づき、少なくとも１つの重畳領域を有する複数の拡張操作領域のうち、その操作を受け付ける一の拡張操作領域を選定する。
【００２８】
ステップＳ３にて、操作領域制御部２０は、複数の操作領域のうち、一の拡張操作領域に対応する一の操作領域を選定する。このように、操作領域制御部２０は、一の操作領域が操作検知部１０にて検知された操作を受け付けるよう複数の拡張操作領域を制御する。
【００２９】
（効果）
以上をまとめると、実施の形態１における入力制御装置１００は、表示装置が有する表示領域に操作を受け付ける複数の操作領域と複数の操作領域に対応する拡張された複数の拡張操作領域とが設けられており、複数の拡張操作領域に入力装置１１０を介して入力される操作に基づいて、複数の拡張操作領域を制御する入力制御装置である。入力制御装置は、複数の拡張操作領域の各々の一部が互いに重なり合う少なくとも１つの重畳領域に対して入力される操作を検知する操作検知部１０と、予め定められた優先条件に基づき、少なくとも１つの重畳領域を有する複数の拡張操作領域のうち、操作を受け付ける一の拡張操作領域を選定し、複数の操作領域のうち一の拡張操作領域に対応する一の操作領域が操作を受け付けるよう複数の拡張操作領域を制御する操作領域制御部２０と、を含む。
【００３０】
以上の構成により、入力制御装置１００は、重畳領域に入力される操作の認識精度を向上させることが可能である。入力制御装置１００は、ユーザーの意図が反映された操作を正確に認識することができるため、ユーザーによる入力装置１１０の操作性を的確に向上させることができる。
【００３１】
以上をまとめると、実施の形態１における入力制御方法は、表示装置が有する表示領域に操作を受け付ける複数の操作領域と複数の操作領域に対応する拡張された複数の拡張操作領域とが設けられており、複数の拡張操作領域に入力装置を介して入力される操作に基づいて、複数の拡張操作領域を制御する入力制御方法である。入力制御方法は、複数の拡張操作領域の各々の一部が互いに重なりあう少なくとも１つの重畳領域に対して入力される操作を検知し、予め定められた優先条件に基づき、少なくとも１つの重畳領域を有する複数の拡張操作領域のうち、その操作を受け付ける一の拡張操作領域を選定し、複数の操作領域のうち一の拡張操作領域に対応する一の操作領域がその操作を受け付けるよう複数の拡張操作領域を制御することを含む。
【００３２】
以上の入力制御方法によれば、重畳領域に入力される操作の認識精度を向上させることが可能である。また、ユーザーの意図が反映された操作を正確に認識することができるため、ユーザーによる入力装置１１０の操作性を的確に向上させることができる。
【００３３】
＜実施の形態２＞
実施の形態２における入力制御装置、操作装置および入力制御方法を説明する。なお、実施の形態１と同様の構成および動作については説明を省略する。
【００３４】
図５は、実施の形態２における入力制御装置１００、操作装置２００およびそれらに関連して動作する装置の構成を示すブロック図である。
【００３５】
操作装置２００は、入力装置１１０および入力制御装置１００を有する。
【００３６】
操作検知部１０は、少なくとも１つの重畳領域に対して入力される操作を検知する。
【００３７】
操作領域制御部２０は、予め定められた優先条件に基づき、少なくとも１つの重畳領域を有する複数の操作領域のうち、操作検知部１０にて検知された操作を受け付ける一の拡張操作領域を選定する。予め定められた優先条件とは、複数の操作領域のうち、他の操作領域の面積よりも小さい面積を有する操作領域に対応する拡張操作領域を優先的に選定することである。操作領域制御部２０は、複数の操作領域のうち、その選定された一の拡張操作領域に対応する一の操作領域をさらに選定する。
【００３８】
情報処理装置１２０は、入力制御装置１００によって選定された操作領域に対応付けられた機能を実行する。その際、情報処理装置１２０は、表示装置１３０の表示領域に機能発揮中または機能発揮後の画面を表示してもよい。
【００３９】
表示装置１３０は、表示領域を有する。表示領域には、操作を受け付ける複数の操作領域と、それら複数の操作領域に対応して拡張された複数の拡張操作領域が設定されている。
【００４０】
実施の形態２において、表示装置１３０はカーナビゲーション装置が有する表示部である。入力装置１１０はカーナビゲーション装置の表示部に一体として設けられるタッチパネルである。情報処理装置１２０は、例えば、カーナビゲーション装置が有する制御装置である。
【００４１】
図６は、実施の形態２における入力制御装置１００およびそれに関連して動作する装置のハードウェア構成を示す図である。
【００４２】
入力制御装置１００は、ＣＰＵ９１Ａ、ＲＡＭ９２ＡおよびＲＯＭ９２Ｂを有する。ＣＰＵ９１Ａは、図３におけるプロセッサ９１に対応する。ＲＡＭ９２ＡおよびＲＯＭ９２Ｂは、図３におけるメモリ９２に対応する。ＣＰＵ９１Ａ、ＲＡＭ９２ＡおよびＲＯＭ９２Ｂは、操作検知部１０および操作領域制御部２０の機能を実現する。また、情報処理装置１２０は、ＧＰＵ（Graphics Processing Unit）９３を有する。ＧＰＵ９３は、表示装置１３０に表示する画面を制御する。入力制御装置１００は情報処理装置１２０と一体であってもよい。
【００４３】
（操作領域および拡張操作領域）
図７は、実施の形態２における操作領域６および拡張操作領域７の一例を示す図である。表示装置１３０が有する表示領域１３１には、操作を受け付ける複数の操作領域６と、それら複数の操作領域６に対応して拡張された領域である複数の拡張操作領域７が設定されている。
【００４４】
複数の操作領域６のうち操作領域６Ａは、表示領域１３１に表示されかつ視認されるオブジェクト５に対応して設定されている。ここでは、表示領域１３１に「ＯＫ」および「キャンセル」のオブジェクト５が表示されている。操作領域６Ａは、表示されているオブジェクト５よりも大きい領域であって、そのオブジェクト５の外周に沿った形状を有する。また、操作領域６Ａに対応して拡張された拡張操作領域７Ａは、操作領域６Ａよりも大きい領域を有する。操作領域６Ａまたは拡張操作領域７Ａは、ユーザーがそれらの領域においてタップする操作を受け付ける。情報処理装置１２０は、その操作に対応付けられた機能を実行する。
【００４５】
各操作領域６は、必ずしも視認されるオブジェクト５に対応して設定されるものではない。複数の操作領域６のうち操作領域６Ｂは、表示領域１３１の上部において視認されない領域に対応して設定されている。また、その操作領域６Ｂに対応する拡張操作領域７Ｂは、操作領域６Ｂよりも大きい領域を有する。例えば、操作領域６Ｂまたは拡張操作領域７Ｂは、ユーザーがそれらの領域において下方へフリックまたはスワイプする操作を受け付ける。情報処理装置１２０は、その操作に対応付けられた機能を実行する。
【００４６】
図８は、実施の形態２における拡張操作領域７の設定方法を示すフローチャートである。
【００４７】
ステップＳ１０にて、操作検知部１０は、操作を検知する。
【００４８】
ステップＳ２０にて、操作領域制御部２０は、入力された操作に対し拡張操作領域７の設定が必要か否か判定する。拡張操作領域７の設定が必要であると操作領域制御部２０が判定した場合、ステップＳ３０が実行される。拡張操作領域７の設定が必要ないと操作領域制御部２０が判定した場合、拡張操作領域７の設定方法は終了する。
【００４９】
ステップＳ３０にて、操作領域制御部２０は、拡張操作領域７を設定する。その際、操作領域制御部２０は、操作履歴が記録された操作履歴データベースを参照する。操作領域制御部２０は、例えば、ユーザーによる操作領域６に対する誤操作またはユーザーによる操作の癖等に関連する情報に基づき、拡張操作領域７を計算し設定する。
【００５０】
上記の拡張操作領域７の設定方法は、繰り返し実行される。つまり、拡張操作領域７は、入力装置１１０に操作が入力されるごとに更新される。したがって、互いに隣り合う複数の操作領域に対応する複数の拡張操作領域が、徐々に拡大され、各々が重なりあった少なくとも１つの重畳領域が生じることがある。実施の形態２における入力制御装置１００は、いずれかの重畳領域に操作が入力された場合に、各拡張操作領域を制御し、操作の認識精度を向上させる。以下に、その入力制御方法を説明する。
【００５１】
（入力制御方法）
図９は、実施の形態２における入力制御装置１００の動作および入力制御方法を示すフローチャートである。
【００５２】
ステップＳ１１０にて、操作検知部１０は、表示領域１３１に設定された複数の拡張操作領域７のうち、いずれかの拡張操作領域７に入力された操作を検知する。
【００５３】
ステップＳ１２０にて、操作領域制御部２０は、表示領域１３１における操作の入力位置の周辺に存在する少なくとも１つの操作領域６を抽出する。
【００５４】
ステップＳ１３０にて、操作領域制御部２０は、２以上の操作領域６を抽出したか否かを判定する。２以上の操作領域６が抽出されたと操作領域制御部２０が判定した場合、ステップＳ１４０が実行される。１つの操作領域６だけが抽出されたと操作領域制御部２０が判定した場合、ステップＳ１６０が実行される。
【００５５】
ステップＳ１４０にて、操作領域制御部２０は、操作検知部１０にて検知された操作が２以上の拡張操作領域７が有する少なくとも１つの重畳領域に入力されたか否かを判定する。操作がいずれかの重畳領域に入力されたと操作領域制御部２０が判定した場合、ステップＳ１５０が実行される。操作がいずれの重畳領域にも入力されていないと操作領域制御部２０が判定した場合、操作領域制御部２０は、操作が入力された拡張操作領域７を選定し、ステップＳ１６０が実行される。
【００５６】
ステップＳ１５０にて、操作領域制御部２０は、予め定められた優先条件に基づき、重畳領域を有する複数の拡張操作領域７のうち、操作検知部１０にて検知された操作を受け付ける一の拡張操作領域を選定する。
【００５７】
図１０は、実施の形態２における操作領域６および拡張操作領域７の一例を示す図である。操作検知部１０にて検知された操作は、拡張操作領域７Ｃおよび他の拡張操作領域７Ｄによって形成される重畳領域８に入力されている。複数の操作領域６のうち、右側に示される拡張操作領域７Ｃに対応する操作領域６Ｃの面積は、左側に示される他の拡張操作領域７Ｄに対応する他の操作領域６Ｄの面積よりも小さい。よって、操作領域制御部２０は、他の操作領域６Ｄよりも小さい面積を有する右側の操作領域６Ｃに対応する拡張操作領域７Ｃを、操作検知部１０にて検知された操作を受け付ける一の拡張操作領域として優先的に選定する。
【００５８】
ステップＳ１６０にて、操作領域制御部２０は、選定された拡張操作領域７Ｃに対応する操作領域６Ｃをさらに選定する。
【００５９】
ステップＳ１７０にて、情報処理装置１２０は、その操作領域６Ｃに対応付けられた機能を実行する。
【００６０】
ステップＳ１８０にて、表示装置１３０は、表示領域１３１に機能発揮中または機能発揮後の画面を表示する。つまり、表示装置１３０は、表示領域１３１に操作に基づく状態をフィードバックした表示を行う。
【００６１】
（効果）
以上をまとめると、実施の形態２における入力制御装置１００が用いる予め定められた優先条件とは、複数の操作領域６のうち、他の操作領域６Ｄの面積よりも小さい面積を有する操作領域６Ｃに対応する拡張操作領域７Ｃを、一の拡張操作領域として優先的に選定することである。
【００６２】
ユーザーは、他の操作領域６Ｄよりも小さい面積を有する操作領域６Ｃに対する操作において誤操作しやすい。上記の構成を有する入力制御装置１００は、小さい面積を有する操作領域６Ｃに対応する拡張操作領域７Ｃを優先的に選定することにより、操作の認識精度を向上させる。
【００６３】
また、入力装置１１０が車両に搭載されている場合、ユーザーは車両の揺れ等により誤操作しやすい。そのため拡張操作領域が大きく設定されやすく、重畳領域が生じやすい。したがって、入力装置１１０が車両に搭載されている場合に、より効果を奏する。
【００６４】
また、１つの重畳領域８に操作が入力される場合だけでなく、複数の拡張操作領域のいずれかに操作が入力される場合においても、入力制御装置が上記と同様の動作をすることにより、上記の効果が得られる。例えば、３つの拡張操作領域が存在する場合に、いずれか２つの拡張操作領域が重なり合う複数の重畳領域が存在する場合にも、上記と同様の効果が生じる。
【００６５】
実施の形態２における操作装置２００は、入力制御装置１００と入力装置１１０とを含む。
【００６６】
以上の構成により、操作装置２００は、複数の拡張操作領域７の各々が重なり合う少なくとも１つの重畳領域に入力される操作の認識精度を向上させることが可能である。操作装置２００は、ユーザーの意図が反映された操作を正確に認識することができるため、ユーザーによる入力装置１１０の操作性を的確に向上させることができる。
【００６７】
また、入力装置１１０が表示装置１３０と一体である場合、操作装置は、入力制御装置１００および表示装置１３０の両方を含む。このような構成であっても、上記と同様の効果を奏する。
【００６８】
（実施の形態２の変形例１）
実親の形態２の変形例１における入力制御装置において、操作領域制御部２０は、予め定められた優先条件として、複数の拡張操作領域７のうち、他の拡張操作領域よりも大きい拡張幅で拡張される拡張操作領域を、操作検知部１０にて検知された操作を受け付ける一の拡張操作領域として優先的に選定する。拡張幅とは、拡張操作領域７の特定の方向における長さとその拡張操作領域７に対応する操作領域６の特定の方向における長さとの差である。
【００６９】
図１１は、実施の形態２の変形例１における操作領域６および拡張操作領域７の一例を示す図である。操作検知部１０にて検知された操作は、拡張操作領域７Ｃおよび他の拡張操作領域７Ｄによって形成される重畳領域８に入力されている。右側に示される拡張操作領域７Ｃの横方向における拡張幅Ｌ１は、左側に示される他の拡張操作領域７Ｄの横方向における拡張幅Ｌ２よりも大きい。操作領域制御部２０は、複数の拡張操作領域７のうち、拡張幅Ｌ２よりも大きい拡張幅Ｌ１で拡張される右側の拡張操作領域７Ｃを、操作検知部１０にて検知された操作を受け付ける一の拡張操作領域として優先的に選定する。
【００７０】
操作領域制御部２０は、縦方向の拡張幅に基づき、操作検知部にて検知された操作を受け付ける一の拡張操作領域を選定してもよい。
【００７１】
実施の形態２に示されたように、拡張操作領域７は、操作履歴データベースに基づいて設定される。よって、拡張幅が大きい操作領域６は、ユーザーによる誤操作の頻度が高いことを意味する。実施の形態２の変形例１における入力制御装置は、他の拡張操作領域７Ｄの拡張幅Ｌ２よりも大きい拡張幅Ｌ１で拡張される拡張操作領域７Ｃを優先的に選定する。それにより、入力制御装置はユーザーによって入力される操作の認識精度を向上させる。特に、上記の特定の方向が、各拡張操作領域が重なり合う方向である場合に、より効果を奏する。
【００７２】
（実施の形態２の変形例２）
実親の形態２の変形例２における入力制御装置において、操作領域制御部２０は、予め定められた優先条件として、複数の拡張操作領域７のうち、他の拡張操作領域よりも大きい拡張率で拡張される拡張操作領域を、操作検知部１０にて検知された操作を受け付ける一の拡張操作領域として優先的に選定する。拡張率とは、拡張操作領域７の特定の方向における長さとその拡張操作領域７に対応する操作領域６の特定の方向における長さとの比率である。
【００７３】
図１２は、実施の形態２の変形例２における操作領域６および拡張操作領域７の一例を示す図である。操作検知部１０にて検知された操作は、拡張操作領域７Ｃおよび他の拡張操作領域７Ｄによって形成される重畳領域８に入力されている。右側に示される拡張操作領域７Ｃの横方向における拡張率Ｒ１は、左側に示される他の拡張操作領域７Ｄの横方向における拡張率Ｒ２よりも大きい。操作領域制御部２０は、複数の拡張操作領域７のうち、拡張率Ｒ２よりも大きい拡張率Ｒ１で拡張される右側の拡張操作領域７Ｃを、操作検知部１０にて検知された操作を受け付ける一の拡張操作領域として優先的に選定する。
【００７４】
操作領域制御部２０は、縦方向の拡張率に基づき、操作検知にて検知された操作を受け付ける一の拡張操作領域を選定してもよい。
【００７５】
実施の形態２に示されたように、拡張操作領域７は、操作履歴データベースに基づいて設定される。よって、拡張率が大きい操作領域６は、ユーザーによる誤操作率が高いことを意味する。実施の形態２の変形例２における入力制御装置は、他の拡張操作領域７Ｄの拡張率Ｒ２よりも大きい拡張率Ｒ１で拡張される拡張操作領域７Ｃを優先的に選定する。それにより、入力制御装置はユーザーによって入力される操作の認識精度を向上させる。
【００７６】
（実施の形態２の変形例３）
実親の形態２の変形例３における入力制御装置において、操作領域制御部２０は、予め定められた優先条件として、複数の操作領域６のうち、他の操作領域よりも高い難易度を有する操作を受け付ける操作領域に対応する拡張操作領域を、操作検知部１０にて検知された操作を受け付ける一の拡張操作領域として優先的に選定する。操作の難易度は、操作領域６ごとにまたは実行すべき機能ごとに予め定められたジェスチャーの難易度である。
【００７７】
図１３は、実施の形態２の変形例３における操作領域６および拡張操作領域７の一例を示す図である。操作検知部１０にて検知された操作は、拡張操作領域７Ｃおよび他の拡張操作領域７Ｄによって形成される重畳領域８に入力されている。右側に示される操作領域６Ｃが受け付ける操作は、予め定められたジェスチャーとして、ドラッグを含む。左側に示される他の操作領域６Ｄが受け付ける操作は、予め定められたジェスチャーとして、タップを含む。ドラッグの難易度はタップの難易度よりも高い。操作領域制御部２０は、他の操作領域６Ｄにおける操作の難易度よりも高い難易度を受け付ける操作領域６Ｃに対応する右側の拡張操作領域７Ｃを、操作検知部１０にて検知された操作を受け付ける一の拡張操作領域として選定する。
【００７８】
複雑で難易度の高いジェスチャーを含む操作が求められる場合、ユーザーによる誤操作率が高い。実施の形態２の変形例３における入力制御装置は、難易度の高いジェスチャーを含む操作を要求する操作領域６Ｃに対応する拡張操作領域７Ｃを優先的に拡張する。入力制御装置は、それにより、操作の認識精度を向上させる。
【００７９】
＜実施の形態３＞
実施の形態３における入力制御装置および入力制御方法を説明する。なお、実施の形態１または２と同様の構成および動作については説明を省略する。
【００８０】
図１４は、実施の形態３における入力制御装置１０１、操作装置２００およびそれらに関連して動作する装置の構成を示すブロック図である。図１４には、入力制御装置１０１に関連して動作する装置として、操作情報検出装置１４０が示されている。
【００８１】
入力装置１１０は車両に設けられている。実施の形態３においては、複数の拡張操作領域７に対して、車両の運転手と運転手以外の車両の搭乗者とによって同時に複数の操作が入力される。
【００８２】
操作情報検出装置１４０は、運転手および搭乗者による複数の操作に関する情報を検出する。複数の操作に関する情報は、入力された操作が運転手による操作であるか否かの判定結果を含む。操作情報検出装置１４０は、例えば、カメラを含む。その場合、操作情報検出装置１４０は、カメラが撮影した画像に基づき、入力された操作が運転手による操作であるか否かの判定を行う。ただし、操作情報検出装置１４０は、カメラに限定されるものではなく、その他のセンサ等であってもよい。
【００８３】
操作検知部１０は、操作情報検出装置１４０から複数の操作に関する情報を取得する。操作検知部１０は、その情報に基づき、複数の操作のうち、運転手による操作を検知する。
【００８４】
操作領域制御部２０は、運転手の操作を優先して各実施の形態に記載の制御を行う。
【００８５】
図１５は、実施の形態３における操作領域６および拡張操作領域７の一例を示す図である。一の操作が拡張操作領域７Ｃおよび７Ｄによって形成される重畳領域８に入力されている。他の操作が左側の他の拡張操作領域７Ｄに入力されている。２つの操作は、同時に入力されている。操作検知部１０は、操作情報検出装置１４０が検出する複数の操作に関する情報に基づき、重畳領域８に入力された一の操作を、運転手による操作であると判定する。
【００８６】
操作領域制御部２０は、その重畳領域８に対して入力された運転手による操作に対して、各実施の形態に記載の制御を行う。
【００８７】
また、図１５においては、２つの拡張操作領域７Ｃおよび７Ｄの一部が重なり合った重畳領域８が生じる例が示された。しかし３つ拡張操作領域のうち２つの拡張操作領域がそれぞれ重なり合うことにより２つ以上の重畳領域が生じる場合であっても、上記の効果を奏する。つまり、運転手による操作が一の重畳領域に入力され、かつ、運転手以外の搭乗者による操作が他の重畳領域に入力された場合であっても、操作領域制御部２０は、運転手による操作を認識し、その運転手による操作に対して各実施の形態に記載の制御を行う。
【００８８】
以上をまとめると、実施の形態３における入力制御装置において、少なくとも１つの重畳領域８に対して入力される操作は、複数の拡張操作領域７に対して車両に設けられた入力装置１１０を介して車両の運転手と車両の搭乗者とによって同時に入力される複数の操作のうちの一の操作である。操作検知部１０は、運転手と搭乗者とによる複数の操作に関する情報を取得し、その情報に基づき、複数の操作のうち運転手による一の操作を、少なくとも１つの重畳領域８に対して入力される操作として優先的に検知する。
【００８９】
車両に搭乗している複数の搭乗者が、車両に搭載された入力装置１１０を同時に操作する場合、運転手以外の搭乗者による操作よりも運転手による操作において誤操作が発生しやすい。実施の形態２の変形例３における入力制御装置１０１は、運転手による操作を優先的に選定することにより、操作の認識精度を向上させる。
【００９０】
＜実施の形態４＞
実施の形態４における入力制御装置および入力制御方法を説明する。実施の形態４における入力制御装置の構成を示す図は、図１４と同じである。
【００９１】
図１６は、実施の形態４における操作領域６および拡張操作領域７の一例を示す図である。２つの操作が拡張操作領域７Ｃおよび７Ｄによって形成される重畳領域８に入力されている。２つの操作は、同時に入力されている。２つの操作のうち一の操作は運転手による操作であり、他の操作は搭乗者による操作である。
【００９２】
操作検知部１０は、操作情報検出装置１４０から２つの操作に関する情報を取得する。操作検知部１０は、その情報に基づき、運転手による操作と搭乗者による操作とをそれぞれ検知する。
【００９３】
操作領域制御部２０は、運転手による操作および搭乗者による操作の各々に対して、各実施の形態（後述する実施の形態５を含む）もしくは実施の形態２の各変形例のいずれかに記載の制御を行う。つまり、操作領域制御部２０は、予め定められた優先条件に基づき、一の操作領域が運転手による操作および搭乗者による操作のうちの１つの操作を受け付けるよう複数の拡張操作領域を制御する。
【００９４】
＜実施の形態５＞
実施の形態５における入力制御装置および入力制御方法を説明する。なお、実施の形態１から４のいずれかと同様の構成および動作については説明を省略する。
【００９５】
図１７は、実施の形態における入力制御装置１０２、操作装置２００およびそれらに関連して動作する装置の構成を示すブロック図である。図１７には、入力制御装置１０２に関連して動作する装置として、記憶装置１５０が示されている。
【００９６】
記憶装置１５０は、操作履歴データベース１５１を記憶している。操作履歴データベース１５１は、各操作領域６に対する操作の回数を示す操作頻度に関するデータを含む。
【００９７】
操作領域制御部２０は、予め定められた優先条件として、操作履歴データベース１５１に基づき、複数の操作領域６のうち、他の操作領域よりも操作頻度が高い操作領域に対応する拡張操作領域を、一の拡張操作領域として優先的に選定する。
【００９８】
図１８は、実施の形態５における操作領域６および拡張操作領域７の一例を示す図である。操作検知部１０にて検知された操作は、拡張操作領域７Ｃおよび他の拡張操作領域７Ｄによって形成される重畳領域８に入力されている。右側に示される操作領域６Ｃの操作頻度は、左側に示される操作領域６Ｄの操作頻度よりも高い。よって、操作領域制御部２０は、他の操作領域６Ｄよりも操作頻度が高い右側の操作領域６Ｃに対応する拡張操作領域７Ｃを、操作検知部１０にて検知された操作を受け付ける一の拡張操作領域として選定する。
【００９９】
操作頻度が低い操作領域６Ｄにおける誤操作回数よりも操作頻度が高い操作領域６Ｃにおける誤操作回数の方が多い。実施の形態５における入力制御装置１０２は、操作頻度が高い操作領域６Ｃに対応する拡張操作領域７Ｃを優先的に選定することにより、操作の認識精度を向上させる。
【０１００】
＜実施の形態６＞
実施の形態６における入力制御装置および入力制御方法を説明する。なお、実施の形態１から４のいずれかと同様の構成および動作については説明を省略する。
【０１０１】
各実施の形態に記載の入力制御装置は、ナビゲーション装置と、通信端末と、サーバと、これらにインストールされるアプリケーションの機能とを適宜に組み合わせて構築されるシステムにも適用することができる。ここで、ナビゲーション装置とは、例えば、ＰＮＤ（Portable Navigation Device）などを含む。通信端末とは、例えば、携帯電話、スマートフォンおよびタブレットなどの携帯端末を含む。
【０１０２】
図１９は、実施の形態６における入力制御装置１００およびそれに関連して動作する装置の構成を示すブロック図である。
【０１０３】
入力制御装置１００および通信装置１７０がサーバ３００に設けられている。入力装置１１０、情報処理装置１２０、表示装置１３０および通信装置１６０が車両１に設けられている。車両１に設けられた表示装置１３０の表示領域１３１における重畳領域８に対して、入力装置１１０を介して操作が入力される。入力制御装置１００は、通信装置１６０および通信装置１７０を介してその操作を検知する。入力制御装置１００は、予め定められた優先条件に基づき、重畳領域８を有する複数の拡張操作領域７のうち、その操作を受け付ける一の拡張操作領域を選定する。情報処理装置１２０は、各通信装置を介して取得するその選定結果に基づいて、その操作に対応付けられた機能を実行する。
【０１０４】
入力制御装置１００がサーバ３００に配置されることにより、車載装置の構成を簡素化することができる。
【０１０５】
また、入力制御装置１００の機能あるいは構成要素の一部がサーバ３００に設けられ、他の一部が車両１に設けられるなど、分散して配置されてもよい。
【０１０６】
なお、本発明は、その発明の範囲内において、各実施の形態を自由に組み合わせたり、各実施の形態を適宜、変形、省略したりすることが可能である。
【０１０７】
本発明は詳細に説明されたが、上記した説明は、全ての局面において、例示であって、本発明がそれに限定されるものではない。例示されていない無数の変形例が、この発明の範囲から外れることなく想定され得るものと解される。
【符号の説明】
【０１０８】
６  操作領域、７  拡張操作領域、８  重畳領域、１０  操作検知部、２０  操作領域制御部、１００  入力制御装置、１１０  入力装置、１２０  情報処理装置、１３０  表示装置、１３１  表示領域、１４０  操作情報検出装置、１５０  記憶装置、１５１  操作履歴データベース、２００  操作装置。
【図１】
2019239450.tif 000003
【図２】
2019239450.tif 000004
【図３】
2019239450.tif 000005
【図４】
2019239450.tif 000006
【図５】
2019239450.tif 000007
【図６】
2019239450.tif 000008
【図７】
2019239450.tif 000009
【図８】
2019239450.tif 000010
【図９】
2019239450.tif 000011
【図１０】
2019239450.tif 000012
【図１１】
2019239450.tif 000013
【図１２】
2019239450.tif 000014
【図１３】
2019239450.tif 000015
【図１４】
2019239450.tif 000016
【図１５】
2019239450.tif 000017
【図１６】
2019239450.tif 000018
【図１７】
2019239450.tif 000019
【図１８】
2019239450.tif 000020
【図１９】
2019239450.tif 000021
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御装置であって、
前記複数の拡張操作領域の各々の一部が互いに重なり合う少なくとも１つの重畳領域に対して入力される前記操作を検知する操作検知部と、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御する操作領域制御部と、を備え、
前記少なくとも１つの重畳領域に対して入力される前記操作は、前記複数の拡張操作領域に対して車両に設けられた前記入力装置を介して前記車両の運転手と前記車両の搭乗者とによって同時に入力される複数の操作のうちの一の操作であり、
前記操作検知部は、前記運転手と前記搭乗者とによる前記複数の操作に関する情報を取得し、前記情報に基づき、前記複数の操作のうち前記運転手による前記一の操作を、前記少なくとも１つの重畳領域に対して入力される前記操作として優先的に検知する、入力制御装置。
【請求項２】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御装置であって、
前記複数の拡張操作領域の各々の一部が互いに重なり合う少なくとも１つの重畳領域に対して入力される前記操作を検知する操作検知部と、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御する操作領域制御部と、を備え
前記予め定められた優先条件とは、
前記複数の拡張操作領域のうち、他の拡張操作領域の特定の方向における長さと前記他の拡張操作領域に対応する他の操作領域の前記特定の方向における長さとの差である拡張幅よりも大きい拡張幅で拡張される拡張操作領域を、前記一の拡張操作領域として優先的に選定することである、入力制御装置。
【請求項３】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御装置であって、
前記複数の拡張操作領域の各々の一部が互いに重なり合う少なくとも１つの重畳領域に対して入力される前記操作を検知する操作検知部と、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御する操作領域制御部と、を備え
前記予め定められた優先条件とは、
前記複数の拡張操作領域のうち、他の拡張操作領域の特定の方向における長さと前記他の拡張操作領域に対応する他の操作領域の前記特定の方向における長さとの比率である拡張率よりも大きい拡張率で拡張される拡張操作領域を、前記一の拡張操作領域として優先的に選定することである、入力制御装置。
【請求項４】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御装置であって、
前記複数の拡張操作領域の各々の一部が互いに重なり合う少なくとも１つの重畳領域に対して入力される前記操作を検知する操作検知部と、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御する操作領域制御部と、を備え
前記予め定められた優先条件とは、
前記複数の操作領域のうち、他の操作領域が受け付ける前記操作の難易度よりも高い難易度を有する前記操作を受け付ける操作領域に対応する拡張操作領域を、前記一の拡張操作領域として優先的に選定することである、入力制御装置。
【請求項５】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御装置であって、
前記複数の拡張操作領域の各々の一部が互いに重なり合う少なくとも１つの重畳領域に対して入力される前記操作を検知する操作検知部と、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御する操作領域制御部と、を備え
前記予め定められた優先条件とは、
各前記操作領域に対する操作頻度に関するデータを含むデータベースに基づき、前記複数の操作領域のうち、他の操作領域に対する操作頻度よりも高い前記操作頻度で操作される操作領域に対応する拡張操作領域を、前記一の拡張操作領域として優先的に選定することである、入力制御装置。
【請求項６】
請求項１に記載の入力制御装置と、
前記入力装置と、を備える操作装置。
【請求項７】
表示装置が有する表示領域に操作を受け付ける複数の操作領域と前記複数の操作領域に対応する拡張された複数の拡張操作領域とが設けられており、前記複数の拡張操作領域に入力装置を介して入力される操作に基づいて、前記複数の拡張操作領域を制御する入力制御方法であって、
前記複数の拡張操作領域の各々の一部が互いに重なり合う少なくとも１つの重畳領域に対して入力される前記操作を検知し、
予め定められた優先条件に基づき、前記少なくとも１つの重畳領域を有する前記複数の拡張操作領域のうち、前記操作を受け付ける一の拡張操作領域を選定し、前記複数の操作領域のうち前記一の拡張操作領域に対応する一の操作領域が前記操作を受け付けるよう前記複数の拡張操作領域を制御し、
前記少なくとも１つの重畳領域に対して入力される前記操作は、前記複数の拡張操作領域に対して車両に設けられた前記入力装置を介して前記車両の運転手と前記車両の搭乗者とによって同時に入力される複数の操作のうちの一の操作であり、
前記少なくとも１つの重畳領域に対して入力される前記操作を検知することは、前記運転手と前記搭乗者とによる前記複数の操作に関する情報を取得し、前記情報に基づき、前記複数の操作のうち前記運転手による前記一の操作を、前記少なくとも１つの重畳領域に対して入力される前記操作として優先的に検知することを含む、入力制御方法。
【手続補正２】
【補正対象書類名】明細書
【補正対象項目名】０００７
【補正方法】変更
【補正の内容】
【０００７】
本発明に係る入力制御装置は、表示装置が有する表示領域に操作を受け付ける複数の操作領域と複数の操作領域に対応する拡張された複数の拡張操作領域とが設けられており、複数の拡張操作領域に入力装置を介して入力される操作に基づいて、複数の拡張操作領域を制御する入力制御装置である。入力制御装置は、複数の拡張操作領域の各々の一部が互いに重なり合う少なくとも１つの重畳領域に対して入力される操作を検知する操作検知部と、予め定められた優先条件に基づき、少なくとも１つの重畳領域を有する複数の拡張操作領域のうち、操作を受け付ける一の拡張操作領域を選定し、複数の操作領域のうち一の拡張操作領域に対応する一の操作領域が操作を受け付けるよう複数の拡張操作領域を制御する操作領域制御部と、を含む。少なくとも１つの重畳領域に対して入力される操作は、複数の拡張操作領域に対して車両に設けられた入力装置を介して車両の運転手と車両の搭乗者とによって同時に入力される複数の操作のうちの一の操作である。操作検知部は、運転手と搭乗者とによる複数の操作に関する情報を取得し、その情報に基づき、複数の操作のうち運転手による一の操作を、少なくとも１つの重畳領域に対して入力される操作として優先的に検知する。
【国際調査報告】
2019239450.tif 000022
2019239450.tif 000023
2019239450.tif 000024
2019239450.tif 000025